(57)【要約】      （修正有）【課題】汗取りパッドの位置調整可能な汗取りセットを提供する。【解決手段】一端に接合部１１を有している少なくとも１つのハンドルバー固定ストラップ１であって、ハンドルバー固定ストラップは接合部が自身の残りの部位に可動に接着されていることで環状に近似した態様が形成されているハンドルバー固定ストラップと、上部には汗取り面を有し、底部には接着面２１２を有し、接着面はハンドルバー固定ストラップに可動に接着されている汗取りパッド２と、を備えている。ライダーは体形及び乗車姿勢に基づいて汗取りパッドの位置を、ライダーから滴り落ちる汗をより受けやすい位置に調整する。【選択図】図２
0003233242.tif 000002
【実用新案登録請求の範囲】
【請求項１】
一端に接合部を有している少なくとも１つのハンドルバー固定ストラップであって、少なくとも１つの前記ハンドルバー固定ストラップは前記接合部が自身の残りの部位に可動に接着されていることで環状に近似した態様が形成されている少なくとも１つのハンドルバー固定ストラップと、
上部には汗取り面を有し、底部には接着面を有し、前記接着面は少なくとも１つの前記ハンドルバー固定ストラップに可動に接着されている汗取りパッドと、を備えていることを特徴とする汗取りパッドの位置調整可能な汗取りセット。
【請求項２】
ホルダーをさらに備え、前記汗取りパッドの接着面は部分的に前記ホルダーに可動に接着されていることを特徴とする請求項１に記載汗取りパッドの位置調整可能な汗取りセット。
【請求項３】
ホルダーをさらに備え、前記ホルダーと少なくとも１つの前記ハンドルバー固定ストラップとの間は連接部材により連結され、前記汗取りパッドの接着面は部分的に前記連接部材に可動に接着されていることを特徴とする請求項１に記載汗取りパッドの位置調整可能な汗取りセット。
【請求項４】
一端が自身の残りの部位に接着されていることで環状に近似した態様が形成されている少なくとも１つの補助ハンドルバーストラップをさらに備え、前記汗取りパッドの接着面は部分的に少なくとも１つの前記補助ハンドルバーストラップに可動に接着されていることを特徴とする請求項１に記載汗取りパッドの位置調整可能な汗取りセット。
【請求項５】
前記汗取りパッドは外層カバー及び内層支持部を備え、前記汗取り面は前記外層カバーの上部に位置し、前記接着面は前記外層カバーの底部に位置し、前記外層カバーの内部には収容空間を有し、且つ前記外層カバーには前記収容空間に連通している開口部が開設され、前記内層支持部の硬度は前記外層カバーよりも高く、前記内層支持部は前記活動空間に可動に内設されていることを特徴とする請求項１に記載汗取りパッドの位置調整可能な汗取りセット。
【考案の詳細な説明】
【技術分野】
【０００１】
本考案は、自転車やエアロバイクに固定される汗取りセットによりライダーの汗を受け止めることで、過剰な汗が自転車の部材に滴り落ちて部材の損壊が早まるのを防ぐ汗取りパッドの位置調整可能な汗取りセットに関する。
【背景技術】
【０００２】
運動は身体の健康を維持するために行い、筋肉を発達させて身体の代謝機能を効果的に維持し、且つ体力及び筋力を一定の水準に維持することで、生活の中で物事を楽に処理できるようにし、若くして能力を失うことがないようにする。運動には様々な種類があり、中でも自転車は非常に人気のある種目である。外出したくない場合に用いる室内運動器具の中にも自転車の騎乗を模したエアロバイクがあり、自転車の人気の程を伺える。
【先行技術文献】
【特許文献】
【０００３】
【特許文献１】台湾登録実用新案第４１７３０３号公報
【考案の概要】
【考案が解決しようとする課題】
【０００４】
しかしながら、自転車であれエアロバイクであれ、乗車姿勢の関係からサドル前方からハンドルまでの空間には汗が滴り落ちやすく、人体の汗には侵食性があるため、部材の上方では部材の損壊が早まりやすかった。
【０００５】
従来の特許文献では、例えば、下記特許文献１の「自転車と組み合わせる室内パワーラック用吸汗パッド」という記載がある。使用時にはハンドルバーとサドルとの間に架設されてライダーから滴り落ちる汗を受け止めているが、このような製品にも解決できない問題が存在している。それは吸汗位置が固定されているため、ライダーがより極端な乗車姿勢をとると身体の部分がより前のめりになり、このような場合従来の製品ではより前方に滴り落ちる汗を受け止めることができなくなった。
【０００６】
そこで、本考案者は上記の欠点が改善可能と考え、鋭意検討を重ねた結果、合理的設計で上記の課題を効果的に改善する本考案の提案に至った。
【０００７】
本考案は前記技術的課題に鑑みて開発されたものであり、汗取りパッドの位置調整可能な汗取りセットを提供することを目的とする。つまり、本考案はハンドルバー固定ストラップがハンドルバーに固定するために用いられ、汗取りパッドがハンドルバー固定ストラップに可動に接着（面ファスナー）されている。これにより、ライダーは体形及び乗車姿勢に基づいて汗取りパッドの位置を、ライダーから滴り落ちた汗をより受けやすい位置に調整することができ、従来の製品に存在している問題を確実に改善している。
【課題を解決するための手段】
【０００８】
上記課題を解決するために、本考案のある態様の汗取りパッドの位置調整可能な汗取りセットは、
一端に接合部を有している少なくとも１つのハンドルバー固定ストラップであって、少なくとも１つの前記ハンドルバー固定ストラップは前記接合部が自身の残りの部位に可動に接着されていることで環状に近似した態様が形成されている少なくとも１つのハンドルバー固定ストラップと、
上部には汗取り面を有し、底部には接着面を有し、前記接着面は少なくとも１つの前記ハンドルバー固定ストラップに可動に接着されている汗取りパッドと、を備えている。
【０００９】
本明細書及び図面の記載により、少なくとも、以下の事項が明らかとなる。
【図面の簡単な説明】
【００１０】
【図１】本考案に係る汗取りパッドの位置調整可能な汗取りセットを示す外観斜視図である。
【図２】本考案に係る汗取りパッドの位置調整可能な汗取りセットを模式的に示した部分分解図である。
【図３】本考案に係る汗取りパッドの位置調整可能な汗取りセットが自転車に適用されている概略図である。
【図４】本考案の汗取りパッドを前方に調整する概略図である。
【図５】本考案の汗取りパッド、ハンドルバー固定ストラップ及び連接部材を示す展開概略図である。
【図６】本考案の汗取りパッドの一部を連接部材に接着して使用される概略図である。
【図７】本考案の汗取りパッドの一部を連接部材に接着して前方に調整した概略図である。
【図８】本考案の補助ハンドルバーストラップがエアロバイクに固着されている概略図である。
【図９】本考案の汗取りパッドを前方に調整して補助ハンドルバーストラップに接着している概略図である。
【図１０】本考案の汗取りパッドを示す展開概略図である。
【図１１】図１のＸＩ−ＸＩ線に沿う断面図である。
【考案を実施するための形態】
【００１１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１２】
以下に図１乃至図５を参照しながら本考案を実施するための最良の形態について詳述する。
【００１３】
汗取りパッドの位置調整可能な汗取りセットは、一端に接合部１１を有している少なくとも１つのハンドルバー固定ストラップ１であって、少なくとも１つの前記ハンドルバー固定ストラップ１は接合部１１が自身の残りの部位に可動に接着されていることで環状に近似した態様が形成されている少なくとも１つのハンドルバー固定ストラップ１と、上部には汗取り面２１１を有し、底部には接着面２１２を有し、前記接着面２１２は少なくとも１つの前記ハンドルバー固定ストラップ１に可動に接着されている汗取りパッド２と、を備えている。
【００１４】
本考案の汗取りパッド２及びハンドルバー固定ストラップ１の接着方式は面ファスナーを使用してもよく、例えば、接着面２１２が面ファスナーのフック面であり、ハンドルバー固定ストラップ１の外側が面ファスナーのループ面であってもよい。
【００１５】
本考案の実施方式についてさらに詳述する。本実施例に係るハンドルバー固定ストラップ１は全て数量が２つであるものを例とし、図３に示されるように、ハンドルバー固定ストラップ１がハンドルバー１００に覆設された後、汗取りパッド２が接着面によりハンドルバー固定ストラップ１に接着されている。これにより、騎乗中にライダーから滴り落ちる汗を確実に受け止めている。また、汗取りパッド２及びハンドルバー固定ストラップ１を分離させ、且つ汗取りパッド２を前方に移動させた後にハンドルバー固定ストラップ１に接着させることで、図４に示される態様のように、汗取りパッド２がより前方に移動することで、ライダーがより極端な乗車姿勢をとって（例えば、スパート姿勢）、身体の部分がより前のめりになっても、本考案の汗取りパッド２がライダーから滴り落ちる汗を受け止めれるようになる。従来の製品に存在する問題を確実に改善し、新規性及び進歩性を有している。
【００１６】
図１、図２に示されるように、ホルダー３をさらに備え、前記汗取りパッド２の接着面２１２は部分的に前記ホルダー３に可動に接着されている。ホルダー３の作用は図３に示されるように、フレームに設置され、汗取りパッド２がサドルに近接している場合、汗取りパッド２の後端が接着し（接着方式は同様に面ファスナーである）、汗取りパッド２が騎乗中にさらに安定して動きにくくなる。
【００１７】
また、図５乃至図７に示されるように、ホルダー５をさらに備え、前記ホルダー５と少なくとも１つの前記ハンドルバー固定ストラップ４との間は連接部材６により連結され、前記汗取りパッド２の接着面２１２は部分的に前記連接部材６に可動に接着されている。本実施例に係るハンドルバー固定ストラップ４は数量が２つであるものを例とし、このほか、本実施例の連接部材６のうちの一部分が２つの固定ストラップ４と一体に連接され、連接部材６の他の部分が長さを調整してホルダー５と連接されている。連接部材６の設計により汗取りパッド２がさらに多くの支持点を有し、汗取りパッド２が騎乗中にさらに安定して動きにくくなる。
【００１８】
また、図８に示されるように、少なくとも１つの補助ハンドルバーストラップ７をさらに備え、一端が自身の残りの部位に接着されて環状に近似した態様が形成され、前記汗取りパッド２の接着面２１２は部分的に少なくとも１つの前記補助ハンドルバーストラップ７に可動に接着されている。本実施例では補助ハンドルバーストラップ７の数量が２つであるものを例とし、図に示されるように、従来のエアロバイクに補助グリップ２００が設置され、補助グリップ２００に補助ハンドルバーストラップ７が取り付けられると、汗取りパッド２がより前方に設置された場合、汗取りパッド２がさらに多くの支持点を有し、これにより汗取りパッド２が騎乗中にさらに安定して動きにくくなる。
【００１９】
また、図１０と図１１に示されるように、前記汗取りパッド２は外層カバー２１及び内層支持部２２を備え、前記汗取り面２１１は前記外層カバー２１の上部に位置し、前記接着面２１２は前記外層カバー２１の底部に位置している。前記外層カバー２１内部には収容空間２１３を有し、前記外層カバー２１には前記収容空間２１３に連通している開口部２１４が開設されている。前記内層支持部２２の硬度は前記外層カバー２１より高く、前記内層支持部２２は前記収容空間２１３に可動に内設されている。内層支持部２２の硬度が外層カバー２１より高いため、内層支持部２２が外層カバー２１を効果的に支持して一定の板形状に維持することで、外層カバー２１が過剰な汗を吸収した後に下に垂れ下がって板形状が維持不能になり、汗の受け止め効果が大幅に低下する現象を回避している。また、内層支持部２２は開口部２１４が収容空間２１３内部に着脱可能であるため、外層カバー２１を清掃する際に内層支持部２２を取り出して非常に簡単に清掃可能になる。なお、内層支持部２２の材質は硬質ＰＶＣである。
【００２０】
本考案は、その精神又は主要な特徴から逸脱することなく、他のいろいろな形態で実施することができる。そのため、上述の実施形態はあらゆる点で単なる例示に過ぎず、限定的に解釈してはならない。本考案の範囲は実用新案登録請求の範囲によって示すものであって、明細書本文には何ら拘束されない。更に、実用新案登録請求の範囲の均等範囲に属する変形や変更は、すべて本考案の範囲内のものである。
【符号の説明】
【００２１】
１  ハンドルバー固定ストラップ
１１  接合部
２  汗取りパッド
２１  外層カバー
２１１  汗取り面
２１２  接着面
２１３  収容空間
２１４  開口部
２２  内層支持部
３  ホルダー
４  ハンドルバー固定ストラップ
５  ホルダー
６  連接部材
７  補助ハンドルバーストラップ
１００  ハンドルバー
２００  補助グリップ
【図１】
0003233242.tif 000003
【図２】
0003233242.tif 000004
【図３】
0003233242.tif 000005
【図４】
0003233242.tif 000006
【図５】
0003233242.tif 000007
【図６】
0003233242.tif 000008
【図７】
0003233242.tif 000009
【図８】
0003233242.tif 000010
【図９】
0003233242.tif 000011
【図１０】
0003233242.tif 000012
【図１１】
0003233242.tif 000013
【手続補正書】
【提出日】令和3年5月25日(2021.5.25)
【手続補正１】
【補正対象書類名】実用新案登録請求の範囲
【補正対象項目名】全文
【補正方法】変更
【補正の内容】
【実用新案登録請求の範囲】
【請求項１】
一端に接合部を有している少なくとも１つのハンドルバー固定ストラップであって、少なくとも１つの前記ハンドルバー固定ストラップは前記接合部が自身の残りの部位に可動に接着されていることで環状に近似した態様が形成されている少なくとも１つのハンドルバー固定ストラップと、
上部には汗取り面を有し、底部には接着面を有し、前記接着面は少なくとも１つの前記ハンドルバー固定ストラップに可動に接着されている汗取りパッドと、を備えていることを特徴とする汗取りパッドの位置調整可能な汗取りセット。
【請求項２】
ホルダーをさらに備え、前記汗取りパッドの接着面は部分的に前記ホルダーに可動に接着されていることを特徴とする請求項１に記載汗取りパッドの位置調整可能な汗取りセット。
【請求項３】
ホルダーをさらに備え、前記ホルダーと少なくとも１つの前記ハンドルバー固定ストラップとの間は連接部材により連結され、前記汗取りパッドの接着面は部分的に前記連接部材に可動に接着されていることを特徴とする請求項１に記載汗取りパッドの位置調整可能な汗取りセット。
【請求項４】
一端が自身の残りの部位に接着されていることで環状に近似した態様が形成されている少なくとも１つの補助ハンドルバーストラップをさらに備え、前記汗取りパッドの接着面は部分的に少なくとも１つの前記補助ハンドルバーストラップに可動に接着されていることを特徴とする請求項１に記載汗取りパッドの位置調整可能な汗取りセット。
【請求項５】
前記汗取りパッドは外層カバー及び内層支持部を備え、前記汗取り面は前記外層カバーの上部に位置し、前記接着面は前記外層カバーの底部に位置し、前記外層カバーの内部には収容空間を有し、且つ前記外層カバーには前記収容空間に連通している開口部が開設され、前記内層支持部の硬度は前記外層カバーよりも高く、前記内層支持部は前記収容空間に可動に内設されていることを特徴とする請求項１に記載汗取りパッドの位置調整可能な汗取りセット。